(57)【要約】      （修正有）【課題】構造の簡素化された定量吐出容器を提供する。【解決手段】内容物を充填する容器本体１と、口部を密封する蓋体２と、注出ノズル３を有し蓋体２を貫通して容器本体１内に入り込む中空ロッド４と、押圧により容器本体１の内壁面に沿って摺動させて内容物を開口及び中空ロッド４を通して注出ノズルより排出するスライダとからなり、中空ロッド４の外壁に、舌片状のセグメント群を互いに間隔を開けて直列に配置した第１のユニット６、この第１のユニット６のセグメントとは段違いの配列になる以外は同等のセグメントを有する第２のユニット７をそれぞれ設け、蓋体２に、注出ノズル３を中空ロッド４とともに回動、押圧する注出動作にて第１のユニット６及び第２のユニット７の各セグメントを交互に一枚ずつ通過させて吐出量の定量化を図る切り欠部８を形成する。【選択図】図１
2005153886.tif 000002
【特許請求の範囲】
【請求項１】
内容物を充填する容器本体と、この容器本体の口部を密封する蓋体と、先端に注出ノズルを有し蓋体を貫通して容器本体内に入り込む中空ロッドと、この中空ロッドにつながる開口を備え注出ノズル及びこれにつながる中空ロッドの押圧により容器本体の内壁面に沿って摺動させて容器内の内容物を開口、中空ロッドを順次に通して注出ノズルの先端より排出するスライダとからなり、
前記中空ロッドに、その外壁で片持ち支持された舌片状のセグメント群を互いに間隔を開けて直列に配置した第１のユニットと、この第１のユニットのセグメントとは段違いの配列になる以外は同等のセグメントを有する第２のユニットをそれぞれ設け、
前記蓋体に、注出ノズルを中空ロッドとともに回動、押圧する注出動作にて第１のユニット及び第２のユニットの各セグメントを交互に一枚ずつ通過させて内容物を定量吐出させる切り欠部を形成してなることを特徴とする定量吐出容器。
【請求項２】
注出ノズルを覆い隠し容器本体に固定されるカバーキャップを有する請求項１記載の定量吐出容器。
【発明の詳細な説明】
【技術分野】
【０００１】
本発明は、容器内に充填された内容物を一定量吐出させるのに好適な定量吐出容器に関するものである。
【背景技術】
【０００２】
従来、クリーム状の内容物を充填する容器としては開口面積の大きな口部を有する容器本体とこの容器本体の口部を密封する蓋体からなるジャータイプのものが一般に使用されている。
【０００３】
ところで、ジャータイプの容器は、へらや指等により使用者が必要量のみ取り出して使用するのが普通であるところ、容器を開けて内容物を取り出すたびにへらに付着した塵や指の皮脂が容器内に入り込むのが避けられないことから内容物によっては、その品質に影響を与えることが懸念された。
【０００４】
このような問題の解決を図るものとしては、内容物の定量吐出を可能とする容器が提案されてはいるものの（例えば特許文献１参照）、パーツ数が多く、金型や組立作業に多大なコストがかかる不具合がありその改善が求められていた。
【０００５】
【特許文献１】特開２００３−１３５１４２号公報
【発明の開示】
【発明が解決しようとする課題】
【０００６】
本発明の課題は、クリーム状の内容物を充填するジャータイプの容器において構造の簡素化を図った定量吐出容器を提案するところにある。
【課題を解決するための手段】
【０００７】
本発明は、内容物を充填する容器本体と、この容器本体の口部を密封する蓋体と、先端に注出ノズルを有し蓋体を貫通して容器本体内に入り込む中空ロッドと、この中空ロッドにつながる開口を備え注出ノズル及びこれにつながる中空ロッドの押圧により容器本体の内壁面に沿って摺動させて容器内の内容物を開口及び中空ロッドを通して注出ノズルの先端より排出するスライダとからなり、
前記中空ロッドに、その外壁で片持ち支持された舌片状のセグメント群を互いに間隔を開けて直列に配置した第１のユニットと、この第１のユニットのセグメントとは段違いの配列になる以外は同等のセグメントを有する第２のユニットをそれぞれ設け、
前記蓋体に、注出ノズルを中空ロッドとともに回動、押圧する注出動作にて第１のユニット及び第２のユニットの各セグメントを交互に一枚ずつ通過させて吐出量の定量化を図る切り欠部を形成してなることを特徴とする定量吐出容器である。
【０００８】
上記の構成になる定量吐出容器においては注出ノズルを覆い隠し容器本体に固定されるカバーキャップを設けることができる。
【発明の効果】
【０００９】
注出ノズルを押圧するのみで内容物の定量吐出が可能で容器内に残存する内容物が塵や皮脂によって汚染されることはない。
【発明を実施するための最良の形態】
【００１０】
以下、図面を用いて本発明をより具体的に説明する。
【００１１】
図１、図２は本発明に従う定量吐出容器の実施の形態を示したものであり、図１は外観斜視図、図２はその断面を右側半分について示した図である。
【００１２】
図における１は内容物を充填する容器本体、２は容器本体１の口部を密封する蓋体、３は注出ノズル、４は先端に注出ノズル３を一体的に備え蓋体２を貫通して容器本体１内に入り込む中空ロッド、５は中空ロッド４に一体的に組み付けられたスライダである（図２参照）。
【００１３】
スライダ５は中空ロッド４の内部通路につながる開口５ａを有しており、注出ノズル３を中空ロッド４とともに押圧して容器本体１の内壁面に沿って摺動させることで容器内の内容物を開口５ａ、中空ロッド４を順次に通して注出ノズル３の先端より排出する。
【００１４】
また、６は中空ロッド４の外壁に設けられた第１のユニットである。この第１のユニット６は片持ち支持された舌片状のセグメント６ａ、６ｂ……の群を互いに間隔Ｌを開けて直列に配置したものからなる。
【００１５】
また、７は同じく中空ロッド４の外壁に第１のユニット６と平行に設けられた第２のユニットである。この第２のユニット７も片持ち支持された舌片状のセグメント７ａ、７ｂ……の群を互いに間隔Ｌを開けて直列に配置したものからなっているが、第１のユニット６のセグメント群６ａ、６ｂ…とは寸法ｔの段違いの配列になっている（図２参照）。
【００１６】
さらに、８は蓋体２に設けられた切り欠部である（図１参照）。切り欠部８は注出ノズル３の押圧に際して第１のユニット６のセグメント６ａ、６ｂ…、あるいは第２のユニット７のセグメント７ａ、７ｂ…の何れかを通すことができるサイズを有している。
【００１７】
上掲図１、図２に示すような状態では第２のユニット７のセグメント７ａが蓋体２に当接しストッパーとして機能しているため、注出ノズル３を押圧しても内容物を注出することはできないが、注出ノズル３を回転させてセグメント７ａを切り欠部８に望ませたのちに押圧すると寸法ｔの分だけ注出ノズル３を中空ロッド４とともに押し下げることが可能となり、この時、内容物の定量吐出が実現される。
【００１８】
このような操作を第１のユニット６及び第２のユニット７についてそれぞれ交互に繰返し行うことで容器内に充填された内容物のほぼ全て注出することが可能となる。
【００１９】
本発明の実施の形態で示した定量吐出容器は図３に示すように容器本体１にねじ止めするかあるいはアンダーカットによって係合するカバーキャップ９を設けることもできる。
【００２０】
また、第１のユニット６及び第２のユニット７の他に同様の構成になる第３のユニットあるいは第４のユニットをそれぞれ対称位置に追加して中空ロッド４の起立姿勢の安定化を図るようにしてもよく、この場合には、注出ノズル３の押圧に支障をきたさぬように切り欠部７と同様の切り欠部を対称位置に設ける。
【産業上の利用可能性】
【００２１】
へらを使ったり手で掬いとることなしに内容物の定量吐出が可能な構造の簡素化された容器を提供できる。
【図面の簡単な説明】
【００２２】
【図１】本発明にしたがう定量吐出容器の外観斜視図である。
【図２】図１に示した容器の側面を示した図である。
【図３】図１に示した容器につき、カバーキャップを装着した状態を示した図である。
【符号の説明】
【００２３】
１  容器本体
２  蓋体
３  注出ノズル
４  中空ロッド
５  スライダ
５ａ  開口
６  第１のユニット
７  第２のユニット
８  切り欠部
９  カバーキャップ
【図１】
2005153886.tif 000003
【図２】
2005153886.tif 000004
【図３】
2005153886.tif 000005